(57)【特許請求の範囲】
【請求項１】
入力された高周波信号をベースバンド信号に周波数変換してさらに希望波帯域よりも低いカットオフ周波数で低域通過フィルタリング処理を行うアナログ信号処理部と、
前記アナログ信号処理部の出力をデジタル信号に変換するＡ／Ｄ変換器と、
前記Ａ／Ｄ変換器の出力に対して前記アナログ信号処理部のフィルタリング処理で減衰した前記希望波帯域の信号成分を補償するデジタル信号処理部とを備え、
前記アナログ信号処理部は、
前記高周波信号を低雑音増幅する第１の増幅器と、
局部発振信号を生成する局部発振器と、
前記第１の増幅器の出力を前記局部発振信号で周波数変換し、当該周波数変換後の信号に対して前記希望波帯域よりも低いカットオフ周波数で低域通過フィルタリング処理を行う周波数変換器と、
前記周波数変換器の出力を増幅する第２の増幅器と、
前記第２の増幅器の出力に含まれる前記希望波帯域外の信号成分を減衰させるアナログフィルタとを有するものであり、
前記デジタル信号処理部は、
前記Ａ／Ｄ変換器の出力に含まれる前記希望波帯域外の信号成分を除去するデジタルフィルタと、
前記デジタルフィルタの出力に対して前記周波数変換器とは逆特性のフィルタリング処理を行う補償部とを有するものである、受信回路であって、
前記周波数変換器および補償部のフィルタリング特性は可変であり、
前記高周波信号の受信レベルに応じて前記周波数変換器および補償部のそれぞれのフィルタリング特性を制御する制御部を備えている
ことを特徴とする受信回路。
【請求項２】
請求項１の受信回路において、
前記第１および第２の増幅器の少なくとも一方のゲインは可変であり、
前記制御部は、前記高周波信号の受信レベルが低いときは前記可変ゲインを大きくするとともに前記周波数変換器のカットオフ周波数を高くし、前記高周波信号の受信レベルが高いときは前記可変ゲインを小さくするとともに前記周波数変換器のカットオフ周波数を低くする
ことを特徴とする受信回路。
【請求項３】
請求項１の受信回路において、
前記制御部は、前記デジタルフィルタの入出力レベル差から前記希望波帯域に近接した高レベルの妨害波の有無を検出し、前記妨害波が検出されなかったときは前記周波数変換器のカットオフ周波数を高くし、前記妨害波が検出されたときは前記周波数変換器のカットオフ周波数を低くする
ことを特徴とする受信回路。
【請求項４】
請求項１の受信回路において、
前記制御部は、前記補償部の出力から前記高周波信号の受信レベルを検出する
ことを特徴とする受信回路。
【請求項５】
請求項１の受信回路において、
前記デジタル信号処理部から出力された信号を復調処理する復調部を備え、
前記復調部は、復調後の信号品質を評価するものであり、
前記制御部は、前記復調部の評価結果に基づいて前記補償部のフィルタリング特性を調整する
ことを特徴とする受信回路。
【請求項６】
入力された高周波信号をベースバンド信号に周波数変換してさらに希望波帯域よりも低いカットオフ周波数で低域通過フィルタリング処理を行うアナログ信号処理部と、
前記アナログ信号処理部の出力をデジタル信号に変換するＡ／Ｄ変換器と、
前記Ａ／Ｄ変換器の出力に対して前記アナログ信号処理部のフィルタリング処理で減衰した前記希望波帯域の信号成分を補償するデジタル信号処理部とを備え、
前記カットオフ周波数は、前記希望波帯域の半分程度である
ことを特徴とする受信回路。
【請求項７】
請求項１の受信回路において、
前記アナログ信号処理部は、前記高周波信号をＬｏｗ−ＩＦ帯域に周波数変換する
ことを特徴とする受信回路。
【請求項８】
請求項１の受信回路と、
前記受信回路の出力を記録または表示する出力デバイスとを備えている
とを特徴とする受信装置。
【発明の詳細な説明】
【技術分野】
【０００１】
本発明は、受信回路に関し、特に携帯電話や放送システムなどで用いられる高周波信号をベースバンド信号に周波数変換する受信回路に関する。
【背景技術】
【０００２】
一般に、受信回路に入力された高周波信号はまず低雑音増幅器で増幅された後、周波数変換器でベースバンド信号に周波数変換される。そして、ベースバンド信号はＡＧＣ増幅器で増幅された後、希望波帯域に近接した妨害波を減衰させるためにアナログフィルタで低域通過フィルタリング処理が行われる。さらに、アナログフィルタの後段にイコライザを設けて、アナログフィルタのフィルタリング処理による位相変化を補償することがある。かかる構成の受信回路において、妨害波が存在しない場合にはアナログフィルタのカットオフ周波数を高めに設定するとともにイコライザを休止させることで、消費電力の低減を図っているものがある（例えば、特許文献１参照）。
【先行技術文献】
【特許文献】
【０００３】
【特許文献１】特開２００８−５２５９号公報
【発明の概要】
【発明が解決しようとする課題】
【０００４】
受信回路の消費電力を低減するには動作電圧を下げることが効果的である。しかし、受信回路を低電圧化した場合、各信号処理ブロック、特にベースバンド信号を増幅するＡＧＣ増幅器の歪特性が著しく劣化し、受信機としての耐妨害波特性が劣化するという問題が生じる。すなわち、従来の受信回路は単に低電圧化しただけでは妨害波に起因する歪成分を十分に低減することができずに耐妨害波特性に限界がある。また、受信回路を低電圧化すると、入力される希望波の受信レベルが高すぎる場合に希望波に起因する歪成分により信号対雑音歪比（ＳＮＤＲ）が劣化するという問題も生じる。これは、ＮＴＳＣやＰＡＬなどの高いＳＮＤＲが求められるアナログ放送信号の受信回路にとっては深刻な問題である。
【０００５】
上記問題に鑑み、本発明は、低電圧動作しても耐妨害波特性およびＳＮＤＲを良好に保つ受信回路を実現することを課題とする。
【課題を解決するための手段】
【０００６】
上記課題を解決するために本発明によって次のような手段を講じた。すなわち、受信回路は、入力された高周波信号をベースバンド信号に周波数変換してさらに希望波帯域よりも低いカットオフ周波数で低域通過フィルタリング処理を行うアナログ信号処理部と、アナログ信号処理部の出力をデジタル信号に変換するＡ／Ｄ変換器と、デジタル信号に対してアナログ信号処理部のフィルタリング処理で減衰した希望波帯域の信号成分を補償するデジタル信号処理部とを備えている。
【０００７】
これによると、低電圧動作により受信回路の各信号ブロックの歪特性が著しく劣化しても、アナログ信号処理部のフィルタリング特性により歪成分を低減し、補償部で希望波の信号成分を補償することで、受信回路の耐妨害波特性およびＳＮＤＲを改善させることが可能となる。
【０００８】
例えば、アナログ信号処理部は、高周波信号を低雑音増幅する第１の増幅器と、局部発振信号を生成する局部発振器と、第１の増幅器の出力を局部発振信号で周波数変換し、当該周波数変換後の信号に対して希望波帯域よりも低いカットオフ周波数で低域通過フィルタリング処理を行う周波数変換器と、周波数変換器の出力を増幅する第２の増幅器と、第２の増幅器の出力に含まれる希望波帯域外の信号成分を減衰させるアナログフィルタとを有する。また、デジタル信号処理部は、Ａ／Ｄ変換器の出力に含まれる希望波帯域外の信号成分を除去するデジタルフィルタと、デジタルフィルタの出力に対して周波数変換器とは逆特性のフィルタリング処理を行う補償部とを有する。さらに、周波数変換器および補償部のフィルタリング特性を可変にして、受信回路は、高周波信号の受信レベルに応じて周波数変換器および補償部のそれぞれのフィルタリング特性を制御する制御部を備えていてもよい。
【０００９】
さらに、第１および第２の増幅器の少なくとも一方のゲインを可変にして、制御部は、例えば、高周波信号の受信レベルが低いときは当該可変ゲインを大きくするとともに周波数変換器のカットオフ周波数を高くし、高周波信号の受信レベルが高いときは当該可変ゲインを小さくするとともに周波数変換器のカットオフ周波数を低くする。あるいは、制御部は、デジタルフィルタの入出力レベル差から希望波帯域に近接した高レベルの妨害波の有無を検出し、妨害波が検出されなかったときは周波数変換器のカットオフ周波数を高くし、妨害波が検出されたときは周波数変換器のカットオフ周波数を低くしてもよい。
【００１０】
あるいは、例えば、アナログ信号処理部は、高周波信号を低雑音増幅する第１の増幅器と、局部発振信号を生成する局部発振器と、第１の増幅器の出力を局部発振信号で周波数変換する周波数変換器と、周波数変換器の出力を増幅する第２の増幅器と、第２の増幅器の出力に対して希望波帯域よりも低いカットオフ周波数で低域通過フィルタリング処理を行うアナログフィルタとを有する。また、デジタル信号処理部は、Ａ／Ｄ変換器の出力に含まれる希望波帯域外の信号成分を除去するデジタルフィルタと、デジタルフィルタの出力に対してアナログフィルタとは逆特性のフィルタリング処理を行う補償部とを有する。さらに、第２の増幅器のゲインを可変にして、受信回路は、高周波信号の受信レベルに応じて第２の増幅器のゲインを制御する制御部を備えていてもよい。さらに、アナログ信号処理部は、アナログフィルタの出力を可変ゲインで増幅する第３の増幅器を有していてもよく、制御部は、高周波信号の受信レベルに応じて第３の増幅器のゲインを制御してもよい。
【００１１】
また、受信回路は、デジタル信号処理部から出力された信号を復調処理する復調部を備えていてもよい。例えば、復調部は、復調後の信号品質を評価するものであり、制御部は、復調部の評価結果に基づいて前記補償部のフィルタリング特性を調整する。
【発明の効果】
【００１２】
本発明によると、受信回路を低電圧化しても耐妨害波特性およびＳＮＤＲを良好に保つことができる。
【図面の簡単な説明】
【００１３】
【図１】図１は、第１の実施形態に係る受信回路の構成図である。
【図２】図２は、周波数変換器の一構成例を示す図である。
【図３】図３は、第１の実施形態に係る受信回路における各信号処理ブロックの出力周波数スペクトラムを示す図である。
【図４】図４は、周波数変換器のカットオフ周波数とＩＭ３およびＮＦの関係を示すグラフである。
【図５】図５は、第２の実施形態に係る受信回路の構成図である。
【図６】図６は、第２の実施形態に係る受信回路における各信号処理ブロックの出力周波数スペクトラムを示す図である。
【図７】図７は、第３の実施形態に係る受信回路の構成図である。
【図８】図８は、第３の実施形態に係る受信回路における各信号処理ブロックの出力周波数スペクトラムを示す図である。
【図９】図９は、第４の実施形態に係る受信回路の構成図である。
【図１０】図１０は、本発明の一実施形態に係る受信装置の概観図である。
【発明を実施するための形態】
【００１４】
（第１の実施形態）
図１は、第１の実施形態に係る受信回路の構成を示す。アンテナ１で受信した高周波信号（ＲＦ信号）は、バラン２で位相が互いに１８０度異なる２つの信号からなる差動ＲＦ信号に変換される。ＲＦ信号は無線信号に限られず、ケーブルを介して入力される有線信号であってもよい。アナログ信号処理部１０Ａは、差動ＲＦ信号を直交変換してＩＱそれぞれのベースバンド信号を生成する。具体的には、アナログ信号処理部１０Ａにおいて、低雑音増幅器（ＬＮＡ）１１は、差動ＲＦ信号を低雑音増幅する。ＬＮＡ１１のゲインは可変でも固定でもいずれであってもよい。周波数変換器１２Ａは、ＬＮＡ１１の出力をＩＱそれぞれの局部発振信号で周波数変換する。これら局部発振信号は、局部発振器１３で生成された局部発振信号を９０度位相シフタ１４で位相が互いに９０度異なるように位相シフトしたものである。さらに、周波数変換器１２Ａは、周波数変換後の信号に対して低域通過フィルタリング処理を行う。
【００１５】
図２は、周波数変換器１２Ａの一構成を示す。周波数変換器１２Ａは、入力された差動ＲＦ信号を増幅する増幅器１２１、増幅器１２１の差動出力を局部発振信号で周波数変換するスイッチ部１２２、および周波数変換後の信号に対して可変カットオフ周波数で低域通過フィルタリング処理を行うアナログフィルタ１２３で構成することができる。本例に係るアナログフィルタ１２３は、制御信号で容量値が制御される容量バンク構成を採用しているが、抵抗値を可変にしてもよい。また、アナログフィルタ１２３のフィルタリング特性は希望波帯域に応じた固定のフィルタリング特定であってもよく、さらに、アナログフィルタ１２３は、高次のバタワースフィルタ、チェビシェフフィルタ、楕円フィルタなどであってもよい。ただし、いずれの場合でも、アナログフィルタ１２３のカットオフ周波数は、希望波帯域よりも小さくし、好ましくは希望波帯域の半分程度にする。
【００１６】
図１に戻り、アナログ信号処理部１０Ａにおいて、増幅器１５は、周波数変換器１２Ａの出力を増幅する。増幅器１５はＡＧＣ増幅器で構成することができる。あるいは、増幅器１５のゲインは固定であってもよい。アナログフィルタ１６は、増幅器１５の出力に含まれる希望波帯域外の信号成分を減衰させる。アナログフィルタ１６は、希望波帯域よりも高いカットオフ周波数を有するＬＰＦで構成することができる。
【００１７】
Ａ／Ｄ変換器２０は、アナログ信号処理部１０Ａから出力されるＩＱそれぞれのベースバンド信号をデジタル信号に変換する。デジタル信号処理部３０Ａは、当該デジタル信号に対して、アナログ信号処理部１０Ａのフィルタリング処理で減衰した希望波帯域の信号成分を補償する。具体的には、デジタル信号処理部３０Ａにおいて、デジタルフィルタ３１は、入力されたデジタル信号に含まれる希望波帯域外の信号成分を除去する。補償部３２は、デジタルフィルタ３１の出力に対して周波数変換器１２Ａとは逆特性のフィルタリング処理を行う。補償部３２から出力されるデジタル化されたＩＱそれぞれのベースバンド信号はデジタル演算によって合成されてデジタル信号処理部３０Ａから出力される。デジタルフィルタ３１および補償部３２をそれぞれ１個ずつにして、Ａ／Ｄ変換器２０でデジタル化されたＩＱそれぞれのベースバンド信号を合成してからデジタルフィルタ３１に入力するようにしてもよい。
【００１８】
図３は、各信号処理ブロックの出力周波数スペクトラムを示す。図３（ａ）は、ＬＮＡ１１の出力周波数スペクトラムを示す。ここで示した高周波信号は例えばデジタル放送波であり、希望波に近接して高レベルの妨害波が存在する。図３（ｂ）は、周波数変換器１２Ａの出力周波数スペクトラムを示す。周波数変換器１２Ａは、例えば希望波帯域の中心周波数の局部発振信号で周波数変換をする（ダイレクトコンバージョン方式）。周波数変換器１２Ａのフィルタリング処理により妨害波は大幅に減衰し、増幅器１５およびアナログフィルタ１６で発生する歪成分のレベルを大幅に低減させることが可能となる。図３（ｃ）は、アナログフィルタ１６の出力周波数スペクトラムを示す。アナログフィルタ１６のフィルタリング処理により妨害波はより一層減衰する。ここでＡ／Ｄ変換器２０は、希望波帯域の減衰したノイズフロアの十分に低いレベルから残存する妨害波の十分に高いレベルまでをＡ／Ｄ変換することのできる十分に大きなダイナミックレンジを有するものとする。図３（ｄ）は、デジタルフィルタ３１の出力周波数スペクトラムを示す。デジタルフィルタ３１のフィルタリング処理により妨害波は除去される。図３（ｅ）は、補償部３２の出力周波数スペクトラムを示す。補償部３２のフィルタリング処理により希望波帯域の信号レベルが一様になるように補償される。上述したようにＡ／Ｄ変換器２０のダイナミックレンジが十分に大きい場合、信号品質の劣化なしに希望波帯域の補償をすることができる。これにより、後述する復調部４０における信号品質の劣化を防ぐことができる。
【００１９】
図１に戻り、復調部４０は、デジタル信号処理部３０Ａの出力を復調して映像信号や音声信号を生成する。アナログ放送波の場合には、復調部４０はデジタル信号処理部３０Ａの出力をＤ／Ａ変換してから復調処理を行う。一方、制御部５０は、当該受信回路に入力された高周波信号の受信レベルに応じてＬＮＡ１１、周波数変換器１２Ａ、増幅器１５、および補償部３２の各信号処理ブロックの可変ゲインおよび可変フィルタリング特性を制御する。制御部５０は、例えば、デジタル信号処理部３０Ａの出力レベルと基準レベルとを比較することで高周波信号の受信レベルを検出することができる。基準レベルは、復調部４０で復調処理をするのに十分なレベルとする。レベル比較器を別途設けて、各信号処理ブロックの出力レベルと基準レベルとの比較結果から高周波信号の受信レベルを検出するようにしてもよい。
【００２０】
各信号処理ブロックの可変ゲインおよび可変フィルタリング特性は具体的には次のように制御する。高周波信号の受信レベルが低いときにはＬＮＡ１１および増幅器１５のゲインを大きくする。また、周波数変換器１２Ａのカットオフ周波数を高くするとともに補償部３２に対して当該カットオフ周波数の変更に追従したフィルタリング特性を設定する。ＬＮＡ１１のゲインが最大値に制御される場合に周波数変換器１２Ａのカットオフ周波数を高くするようにしてもよい。一方、高周波信号の受信レベルが高いときにはＬＮＡ１１および増幅器１５のゲインを小さくする。また、周波数変換器１２Ａのカットオフ周波数を低くするとともに補償部３２に対して当該カットオフ周波数の変更に追従したフィルタリング特性を設定する。カットオフ周波数を低くすると周波数変換器１２ＡのＮＦが低下し、周波数変換器１２Ａの後段に配置された増幅器１５およびアナログフィルタ１６の耐妨害波特性が良化する。また、受信回路の最小受信感度劣化をなくすことができる。
【００２１】
図４は、周波数変換器１２Ａのカットオフ周波数とＩＭ３およびＮＦの関係を示す。横軸は希望波帯域に対するカットオフ周波数の比率を表す。左縦軸は増幅器１５で発生する３次歪成分（ＩＭ３）を表す。右縦軸は周波数変換器１２Ａと増幅器１５からなる回路部分のＮＦを表す。周波数変換器１２Ａのゲインは１８ｄＢ、ＬＰＦ特性は２次特性であるとする。また、増幅器１５のゲインは２１ｄＢ、ＩＩＰ３＝０ｄＢｍ、ＮＦ＝２５ｄＢとする。例示したグラフは希望波帯域に近接して−３０ｄＢｍの妨害波が入力されたときのものである。横軸の値に対してＮＦおよびＩＭ３はそれぞれ相反する変化をする。横軸の値が０．５付近では、ＮＦ劣化を約０．５ｄＢに抑えつつＩＭ３を約２０ｄＢも低減することができる。したがって、上述したように、周波数変換器１２Ａのカットオフ周波数は希望波帯域の半分程度にすることが好ましい。
【００２２】
以上、本実施形態によると、低電圧動作により各信号処理ブロックの歪特性が著しく劣化しても、周波数変換器１２Ａのフィルタリング特性により増幅器１５およびアナログフィルタ１６で発生する歪成分が低減する。そして、補償部３２で希望波帯域の信号成分を補償することで、受信回路の耐妨害波特性を改善させることが可能となる。
【００２３】
（第２の実施形態）
図５は、第２の実施形態に係る受信回路の構成を示す。以下、第１の実施形態と異なる点について説明する。
【００２４】
アナログ信号処理部１０Ｂにおいて、周波数変換器１２Ｂは、ＬＮＡ１１の出力をＩＱそれぞれの局部発振信号で周波数変換するのみであり、低域通過フィルタリング特性は有しない。代わりにアナログフィルタ１６が周波数変換器１２Ｂの出力に対して希望波帯域よりも低いカットオフ周波数で低域通過フィルタリング処理を行う。そして、アナログフィルタ１６の後段に増幅器１７を設けている。これは、周波数変換器１２Ｂの出力を増幅器１５において高ゲインで増幅すると高レベルの妨害波によって歪特性が劣化するおそれがあるため、増幅器１５のゲインは抑えめにしておき、アナログフィルタ１６でのフィルタリング処理後の信号を十分に増幅するためである。増幅器１５，１７のゲインは制御部５０によって制御される。
【００２５】
図６は、各信号処理ブロックの出力周波数スペクトラムを示す。図６（ａ）は、周波数変換器１２Ｂの出力周波数スペクトラムを示す。ここで示した高周波信号は例えばデジタル放送波であり、希望波に近接して高レベルの妨害波が存在する。図６（ｂ）は、アナログフィルタ１６の出力周波数スペクトラムを示す。アナログフィルタ１６のフィルタリング処理により妨害波は大幅に減衰し、増幅器１７で発生する歪成分のレベルを大幅に低減させることが可能となる。図６（ｃ）は、補償部３２の出力周波数スペクトラムを示す。補償部３２のフィルタリング処理により希望波帯域の信号レベルが一様になるように補償される。
【００２６】
以上、本実施形態によると、低電圧動作により各信号処理ブロックの歪特性が著しく劣化しても、アナログフィルタ１６のフィルタリング特性により増幅器１７で発生する歪成分が低減する。そして、補償部３２で希望波帯域の信号成分を補償することで、受信回路の耐妨害波特性を改善させることが可能となる。
【００２７】
なお、第１の実施形態と同様に制御部５０がＬＮＡ１１のゲインを制御するようにしてもよい。また、耐妨害波特性が多少劣化するが、増幅器１７を省略して増幅器１５のゲインを大きくするように変形してもよい。
【００２８】
（第３の実施形態）
図７は、第３の実施形態に係る受信回路の構成を示す。本実施形態に係る受信回路は、図１の受信回路にイメージリジェクション部３３を追加したものである。以下、第１の実施形態と異なる点について説明する。
【００２９】
アナログ信号処理部１０Ａにおいて、局部発振器１３は、希望波帯域よりも低いまたは高い周波数の局部発振信号を生成する。すなわち、アナログ信号処理部１０ＡはＬｏｗ−ＩＦ方式の周波数変換を行い、高周波信号は中間周波数帯域のベースバンド信号に変換される。中間周波数は、例えば希望波帯域の半分の値である。また、デジタル信号処理部３０Ｂにおいて、デジタルフィルタ３１の前段にイメージリジェクション部３３が設けられている。イメージリジェクション部３３は、Ａ／Ｄ変換器２０から出力されるＩＱそれぞれのベースバンド信号を受け、それぞれの信号に含まれるイメージ信号成分を除去する。
【００３０】
図８は、各信号処理ブロックの出力周波数スペクトラムを示す。図８（ａ）は、ＬＮＡ１１の出力周波数スペクトラムを示す。ここで示した高周波信号は例えばアナログ放送波であり、希望波帯域において高レベルの映像信号および音声信号が存在する。このようにアナログ放送波では映像信号と音声信号には所定のレベル差と周波数差があり、一般に、映像信号の方がレベルが高く、周波数が低い。したがって、希望波帯域よりも低い周波数の局部発振信号で周波数変換する。逆に、映像信号のレベルが音声信号のレベルよりも低い場合には、希望波帯域よりも高い周波数の局部発振信号で周波数変換する。図８（ｂ）は、周波数変換器１２Ａの出力周波数スペクトラムを示す。映像信号と音声信号は中間周波数帯域に周波数変換されるとともに周波数変換器１２Ａのフィルタリング処理により減衰する。また、Ｌｏｗ−ＩＦ方式の周波数変換により、映像信号と音声信号のレベル差は拡大し、音声信号のレベルは映像信号のレベルよりも大幅に減衰する。これにより、増幅器１０５およびアナログフィルタ１６で発生する映像信号と音声信号の相互変調の歪成分のレベルを大幅に低減させることが可能となる。図８（ｃ）は、補償部３２の出力周波数スペクトラムを示す。補償部３２のフィルタリング処理により映像信号と音声信号のレベル差が周波数変換前のレベル差となるよう補償される。
【００３１】
以上、本実施形態によると、低電圧動作により各信号処理ブロックの歪特性が著しく劣化しても、周波数変換器１２ＡのＬｏｗ−ＩＦ方式の周波数変換とフィルタリング特性により増幅器１５およびアナログフィルタ１６で発生する歪成分が低減する。そして、補償部３２で希望波帯域の信号成分を補償することで、受信回路のＳＮＤＲ特性を改善させることが可能となる。なお、図４の受信回路にイメージリジェクション部３３を追加した場合でも同様の効果を得ることができる。
【００３２】
（第４の実施形態）
図９は、第４の実施形態に係る受信回路の構成を示す。以下、第１の実施形態と異なる点について説明する。
【００３３】
制御部５０は、Ｉ信号のフィルタリング処理を行うデジタルフィルタ３１の入力信号および出力信号を受け、当該入出力レベル差から希望波帯域に近接した高レベルの妨害波の有無を検出し、当該検出結果に応じて各信号処理ブロックを制御する。例えば、入出力レベル差が閾値よりも大きい場合は高レベルの妨害波が存在すると推定され、逆に入出力レベル差が閾値よりも小さい場合は高レベルの妨害波は存在しないと推定される。制御部５０は、高レベルの妨害波が検出されなかったときにはＬＮＡ１１および増幅器１５のゲインを大きくする。また、周波数変換器１２Ａのカットオフ周波数を高くするとともに補償部３２に対して当該カットオフ周波数の変更に追従したフィルタリング特性を設定する。一方、妨害波が検出されたときにはＬＮＡ１１および増幅器１５のゲインを小さくする。また、周波数変換器１２Ａのカットオフ周波数を低くするとともに補償部３２に対して当該カットオフ周波数の変更に追従したフィルタリング特性を設定する。
【００３４】
復調部４０は、復調後の信号品質を評価する。信号品質は、例えば、ＢＥＲ特性、Ｃ／Ｎ特性などである。制御部５０は、さらに復調部４０から評価結果を受けて補償部３２のフィルタリング特性を調整する。
【００３５】
以上、本実施形態によると、低電圧動作により各信号処理ブロックの歪特性が著しく劣化しても、妨害波の有無に応じて周波数変換器１２Ａのフィルタリング特性を変更することにより増幅器１５およびアナログフィルタ１６で発生する歪成分が低減する。そして、補償部３２で希望波帯域の信号成分を補償することで、受信回路の耐妨害波特性を改善させることが可能となる。さらに、復調部４０の信号品質特性をモニタすることで、耐妨害波特性が最適となるように補償部３２のフィルタリング特性を適応的に制御することができる。
【００３６】
なお、上記の各実施形態において、バラン２を省略して、各信号処理ブロックは片相信号を処理するように変形してもよい。
【００３７】
（応用例）
図１０は、本発明の一実施形態に係る受信装置の概観を示す。受信装置は、例えば、上記の各実施形態に係る受信回路１００と受信回路１００の出力を表示する出力デバイスとしての表示パネル１０１とを備えたテレビジョン受像機である。受信回路１００は、出力デバイスとして記録装置を備えたテレビジョン放送レコーダにも適用可能である。
【産業上の利用可能性】
【００３８】
本発明に係る受信回路は、低電圧化しても耐妨害波特性およびＳＮＤＲを良好に保つことができるため、テレビチューナや携帯通信端末などとして有用である。
【符号の説明】
【００３９】
１０Ａ，１０Ｂ  アナログ信号処理部
１１  増幅器（第１の増幅器）
１２Ａ，１２Ｂ  周波数変換器
１３  局部発振器
１５  増幅器（第２の増幅器）
１６  アナログフィルタ
１７  増幅器（第３の増幅器）
２０  Ａ／Ｄ変換器
３０Ａ，３０Ｂ  デジタル信号処理部
３１  デジタルフィルタ
３２  補償部
４０  復調部
５０  制御部
１００  受信回路
１０１  表示パネル（出力デバイス）
【図１】
0005610899.tif 000002
【図２】
0005610899.tif 000003
【図３】
0005610899.tif 000004
【図４】
0005610899.tif 000005
【図５】
0005610899.tif 000006
【図６】
0005610899.tif 000007
【図７】
0005610899.tif 000008
【図８】
0005610899.tif 000009
【図９】
0005610899.tif 000010
【図１０】
0005610899.tif 000011